(57)【特許請求の範囲】
【請求項１】
透液性表面シートと不透液性裏面シートとの間に吸収体を配設した吸収性物品本体を備え、
この吸収性物品本体は、前記吸収体の幅方向両外側に長手方向に沿って第１のフラップ部をそれぞれ形成するとともに、前記透液性表面シート側にこの吸収性物品本体の幅方向両側に前記第１のフラップ部の内側に位置して長手方向に沿って第２のフラップ部をそれぞれ形成し、
前記両側の第２のフラップ部の内側縁部に弾性体をそれぞれ配設し、
この両側の第２のフラップ部の長手方向の両端部は、互いに対向する内向きに配置するとともに幅方向の外側縁から内側縁までを前記透液性表面シートに対して非接合状態とし、
この第２のフラップ部は前記吸収性物品本体の長手方向の中間領域において、前記股下回り部の前記腹側腰回り部側の表面の一部を前記第１のフラップ部の表面に接合した
ことを特徴とする使い捨て吸収性物品。
【請求項２】
第２のフラップ部は疎水性シートにて形成したことを特徴とする請求項１記載の使い捨て吸収性物品。
【発明の詳細な説明】
【０００１】
【発明の属する技術分野】
本発明は乳幼児用、大人用あるいは失禁用などの使い捨ておむつまたは生理用ナプキンなどの使い捨て吸収性物品に関する。
【０００２】
【従来の技術】
従来のこの種の吸収性物品、例えば使い捨ておむつでは、特公平６−９３９０１号公報に記載されているように、おむつ本体の透液性表面シートと不透液性裏面シートとの間に吸収体を介在し、この吸収体の幅方向の両外側にこの吸収体の長手方向に沿って弾性収縮性を有するサイドフラップを形成し、前記サイドフラップに内向きに隣接してスペーサー手段を有する尿漏れ防止ギャザー部を形成した構成が知られている。
【０００３】
【発明が解決しようとする課題】
上記従来の使い捨ておむつでは、尿漏れ防止ギャザー部が倒れ込み易く、起立状態が保持できず、排泄生理液が漏れ出るおそれがある問題を有している。
【０００４】
本発明は、上記問題点に鑑みなされたもので、おむつなどの生理液吸収性物品本体の透液性表面シート側に形成したフラップ部が起立状態を保持できるようにして確実に排泄生理液の漏れが防止できる使い捨て吸収性物品を提供するものである。
【０００５】
【課題を解決するための手段】
請求項１記載の使い捨て吸収性物品は、透液性表面シートと不透液性裏面シートとの間に吸収体を配設した吸収性物品本体を備え、この吸収性物品本体は、前記吸収体の幅方向両外側に長手方向に沿って第１のフラップ部をそれぞれ形成するとともに、前記透液性表面シート側にこの吸収性物品本体の幅方向両側に前記第１のフラップ部の内側に位置して長手方向に沿って第２のフラップ部をそれぞれ形成し、前記両側の第２のフラップ部の内側縁部に弾性体をそれぞれ配設し、この両側の第２のフラップ部の長手方向の両端部は、互いに対向する内向きに配置するとともに幅方向の外側縁から内側縁までを前記透液性表面シートに対して非接合状態とし、この第２のフラップ部は前記吸収性物品本体の長手方向の中間領域において、前記股下回り部の前記腹側腰回り部側の表面の一部を前記第１のフラップ部の表面に接合したものである。
【０００６】
そして、吸収性物品本体の透液性表面シート側に幅方向両側にそれぞれ形成されている第２のフラップ部は長手方向の両端部は透液性表面シートに接合されずに内側縁部が互いに対向する内向きになるとともに吸収性物品本体の中央領域の股下回り部の腹側腰回り部側では第２のフラップ部の一部が第１のバリヤー部の表面に接合されているため、吸収性物品本体の中央領域にて第２のフラップ部が弾性体により起立状態となって排泄生理液の幅方向への漏れが防止され、第２のフラップ部を乗り越えて尿などの排泄生理液が漏れることがなく、また、排泄生理液の排泄領域の吸収面積が拡がり、確実に排泄生理液の横漏れが防止できる。
【０００７】
請求項２記載の使い捨て吸収性物品は、請求項１記載の使い捨て吸収性物品において、第２のフラップ部は疎水性シートにて形成したものである。
【０００８】
そして、吸収性物品本体の第２のフラップ部は疎水性シートにて形成されるため、排泄生理液の漏れを確実に防止できる。
【０００９】
【発明の実施の形態】
次に、本発明の使い捨て吸収性物品の実施の一形態の構成を使い捨ておむつについて図面を参照して説明する。
【００１０】
図１ないし図３において、１は吸収性物品本体としてのおむつ本体で、このおむつ本体１は、液透過性を有する透液性表面シート２と、液不透過性を有する不透液性裏面シート３との間に液吸収性を有する吸収体４を配設し、このおむつ本体１は、展開状態で略細長状で長手方向の中央部を中心として略線対称の形状に形成するとともに、幅方向の中央部を中心として線対称となる左右対称の形状に形成されている。また、前記吸収体４は、長手方向の中央部を中心として略線対称の形状に形成するとともに、幅方向の中央部を中心として線対称の形状に形成されている。
【００１１】
そして、おむつ本体１の透液性表面シート２と不透液性裏面シート３は、長手方向の中間部が幅狭状となるように内方に向けて略凹弧状に切り欠かれた凹弧状縁1aが形成され、また、前記吸収体４も長手方向の中間部が幅狭状となるように内方に向けて略凹弧状に切り欠かれた凹弧状縁4aが形成されている。
【００１２】
また、前記透液性表面シート２は、尿などの排泄生理液を前記吸収体４へ透過させるために液透過性を有し、例えば、織布、不織布、多孔性フィルム、合成繊維などにておむつ本体１の全表面を覆う形状に成形されている。そして、このおむつ本体１の装着時に身体に接触する透液性表面シート２は、装着者に不快感を与えることがないように肌着に近い感触を有している。
【００１３】
また、前記不透液性裏面シート３は、上面周縁部が前記透液性表面シート２の下面周辺部に接合されている。この不透液性裏面シート３は、尿などの排泄生理液にて下着などの他の衣類、或いはシートなどを汚損することがないように液不透過性を有し、例えばポリエチレン樹脂等の合成樹脂などにて成形されている。
【００１４】
また、前記吸収体４は略細長矩形状に成型され、前記透液性表面シート２の下面中央部と前記不透液性裏面シート３の上面中央部との間に扁平状でこの透液性表面シート２と不透液性裏面シート３の凹弧状縁1aに対向して長手方向の中間部の凹弧状縁4aが位置するように配設されており、この吸収体４は、尿などの排泄生理液を十分に吸収できる、例えばパルプを主材料として一部に高分子吸収体等の物質を含んだ材料にて成形されている。
【００１５】
そして、前記吸収体４の外側に位置して前記透液性表面シート２と前記不透液性裏面シート３とにて前記吸収体４の外側に第１のフラップ部５が形成されている。
【００１６】
さらに、前記おむつ本体１の透液性表面シート２の表面の左右には、第１のフラップ部５から中間部まで尿などの排泄生理液を浸透しない性質を有する、例えばポリプロピレン樹脂等などの不透液性材料にて成形された疎水性シート６，６が重合され、この左右の疎水性シート６，６の内側縁部間には透液性表面シート２中央部が露出されている。そして、この疎水性シート６，６は、透液性表面シート２に合わせて長手方向の中間部の外側縁が内方に向って略凹弧状に切り欠かれた略細長矩形状に形成され、この疎水性シート６，６の下面の外側縁部が前記透液性表面シート２の上面周縁部に接合されている。
【００１７】
次に、前記おむつ本体１は、図１に示す展開状態から適宜に折り曲げられて、幼児、失禁者等の身体に装着されるもので、展開状態における長手方向の中間部に形成した身体への装着時に股下に位置する股下回り部７の長手方向の一端側には身体への装着時に背中側に位置する背側腰回り部８が一体に形成され、かつ前記股下回り部７の長手方向の他端側には身体への装着時に腹側に位置する腹側腰回り部９が一体に形成されている。
【００１８】
また、前記股下回り部７には、前記おむつ本体１の両側中央部に幅方向の外側縁の凹弧状縁1aに沿った脚回り部10，10が形成されている。この脚回り部10，10は、身体への装着の際に装着者の脚回りに位置する部分で、前記吸収体４の幅方向の外縁から幅方向の外側へ前記透液性表面シート２、前記不透液性裏面シート３、および疎水性シート６，６が延出された前記第１のフラップ５にて形成されている。この脚回り部10，10には１本または複数のゴムなどで形成された略紐状の第１フラップ弾性体11，11が前記おむつ本体１の長手方向に沿って前記透液性表面シート２と前記不透液性裏面シート３との間に配設され、この第１フラップ弾性体11，11で不透液性裏面シート３の延出部に脚回りギャザー部12，12を形成している。
【００１９】
そして、前記背側腰回り部８と腹側腰回り部９とは、前記股下回り部７に連続して一体に形成されており、この背側腰回り部８と腹側腰回り部９との幅方向の長さ寸法は、前記股下回り部７の幅方向の長さ寸法よりも大きく成形されている。また、この背側腰回り部８の幅方向の両側縁部には、面ファスナ13が取着され、腹側腰回り部９の略中央部に前記面ファスナ13と互いに係脱自在に係合する面ファスナ14が取着されている。
【００２０】
また、前記吸収体４は、前記背側腰回り部８と腹側腰回り部９とに位置する部分の幅方向の長さ寸法が、前記股下回り部７に位置する部分の幅方向の長さ寸法よりも大きい背側吸収部16と腹側吸収部17となっており、この吸収体４の股下回り部７に位置する部分は幅狭の中央吸収部18となっている。
【００２１】
そして、前記透液性表面シート２側に重合された前記疎水性シート６，６にておむつ本体１の幅方向両側に前記第１のフラップ部５の内側に位置して長手方向に沿って第２のフラップ部20，20がそれぞれ形成されている。この第２のフラップ部20，20は前記疎水性シート６，６の長手方向の両端部が図３に示すように、幅方向の外側縁から前記吸収体４の幅方向の両外縁部の内側まで接着剤21によって前記透液性表面シート２に接合されるとともに前記おむつ本体１の中央領域では前記吸収体４の幅方向の両外縁部の外側まで接着剤21によって前記透液性表面シート２に接合された外側縁22と互いに対向する内側縁23とを有している。
【００２２】
また、この両側の第２のフラップ部20には内側縁23部に弾性体24をそれぞれ配設し、この弾性体24は第２のフラップ部20の内側縁23の巻き込み縁にて包み込み接着されている。なお、この弾性体24，24は必要に応じた数を適宜に配設する。
【００２３】
そして、この両側の第２のフラップ部20の長手方向の両端部は互いに対向する内向きに配置し、この第２のフラップ部20は前記おむつ本体１の長手方向の中間領域において少なくとも表面の一部、例えば股下回り部７の腹側腰回り部９側が前記第１のフラップ部５の表面に接着剤25によって接合され、この第２のフラップ部20はおむつ本体１の排泄生理液の排泄領域となる中間領域は図２に示すように内向きに起立されている。
【００２４】
次に、上記一実施の形態の作用について説明する。
【００２５】
おむつ本体１を身体に装着するときには、おむつ本体１の股下回り部７を股下に位置させるとともに背側腰回り部８を背中側に位置させかつ腹側腰回り部９を腹側に位置させる。そして、このおむつ本体１の透液性表面シート２を身体に接触させ、このおむつ本体１の背側腰回り部８に固着されている面ファスナ13に背側腰回り部９に固着されている面ファスナ14をそれぞれ係脱自在に係合させて装着する。
【００２６】
この状態で、おむつ本体１の第１のフラップ部５の脚回りギャザー部12，12が装着者の脚回りに密着し、おむつ本体１の透液性表面シート２側に幅方向両側にそれぞれ形成されている第２のフラップ部20，20は、排泄生理液の排泄領域である股下回り部７の腹側腰回り部９側が前記第１のフラップ部５の表面に接着剤25によって接合されているため、弾性体24によって常に起立状態となって排泄生理液の幅方向への漏れが防止され、第２のフラップ部20，20を乗り越えて排泄生理液が漏れることがなく、確実に尿などの排泄生理液の横漏れが防止できる。
【００２７】
また、第２のフラップ部20，20は排泄生理液の排泄領域である中間領域は股下回り部７の腹側腰回り部９側が前記第１のフラップ部５の表面に接着剤25によって接合されているため、排泄生理液の排泄領域の吸収面積が拡がり、確実に排泄生理液の横漏れが防止できる。
【００２８】
さらに、第２のフラップ部20は疎水性シート６にて形成されているため、排泄生理液の漏れを確実に防止できる。
【００２９】
また、おむつ本体１の透液性表面シート２側に幅方向両側にそれぞれ形成されている第２のフラップ部20，20は排泄生理液の排泄領域である中間領域は股下回り部７の腹側腰回り部９側が前記第１のフラップ部５の表面に接着剤25によって接合されているため、弾性体24によって常に起立状態となっているので、おむつ本体１の透液性表面シート２の表面にパットを重ねて使用するときに、パットを第２のフラップ部20，20間にパットを容易に挿入できる。
【００３０】
【発明の効果】
請求項１記載の発明によれば、吸収性物品本体の中央領域の股下回り部の腹側腰回り部側にて第２のフラップ部が弾性体により起立状態となって排泄生理液の幅方向への漏れが防止され、第２のフラップ部を乗り越えて尿などの排泄生理液が漏れることがなく、また、排泄生理液の排泄領域の吸収面積が拡がり、確実に排泄生理液の横漏れが防止できる。また、おむつなどにおいて、パットを重ねて使用するとき、第２のフラップ部間にパットを容易に挿入できる。
【００３１】
請求項２記載の発明によれば、吸収性物品本体の第２のフラップ部は疎水性シートにて形成されるため、排泄生理液の漏れを確実に防止できる。
【図面の簡単な説明】
【図１】本発明の使い捨て吸収性物品の使い捨ておむつの実施の一形態を示す平面図である。
【図２】同上図１におけるII部の断面図である。
【図３】同上図１におけるIII 部の断面図である。
【符号の説明】
１    吸収性物品本体となるおむつ本体
２    透液性表面シート
３    不透液性裏面シート
４    吸収体
５    第１のフラップ部
６    疎水性シート
20    第２のフラップ部
24    弾性体
【図１】
0003699610.tif 000002
【図２】
0003699610.tif 000003
【図３】
0003699610.tif 000004